【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
離型処理された基材の片面に２層以上の積層構造を有する修正層、および粘着層をこの順に積層してなり、前記修正層は、着色剤を含み前記着色剤の総量の９９質量％以上が白顔料である、厚み１０μｍ以下の白層を少なくとも２層含んでいる感圧修正テープ。
【請求項２】
前記修正層は、
・  当該修正層の表面側に配設され、前記修正層上に筆記するインクに対する吸収性を有する筆記層、
・  前記修正層の表面側に配設され、ペン先に対するすべり性を有するすべり層、
・  修正層の柔軟性、基材に対する追従性、または膜切れ性を調整する調整層、および
・  前記紙面上に筆記または印字されたインクに対する耐ブリード性を有するバリア層、
からなる群より選ばれた少なくとも１種の層を含んでいる請求項１に記載の感圧修正テープ。
【請求項３】
前記筆記層、すべり層、調整層、およびバリア層のうちの少なくとも１種の層は総量の９９質量％以上が白顔料である着色剤を含み、前記少なくとも２層の白層のうちの少なくとも１層を兼ねている請求項２に記載の感圧修正テープ。
【請求項４】
前記修正層は、さらに
・  修正対象である筆記や印字の色味に合わせて着色された着色層、および
・  前記筆記や印字の読み取り防止のためのパターンが印刷された印刷層、
からなる群より選ばれた少なくとも１種の層を含んでいる請求項１ないし３のいずれか１項に記載の感圧修正テープ。
【請求項５】
前記粘着層は着色剤を含み、前記着色剤の総量の９９質量％以上が白顔料である請求項１ないし４のいずれか１項に記載の感圧修正テープ。
【手続補正２】
【補正対象書類名】明細書
【補正対象項目名】０００４
【補正方法】変更
【補正の内容】
【０００４】
修正層としては、紙面上の筆記や印字を隠蔽する性能すなわち隠蔽性を有する、着色剤の総量の９９質量％以上が白顔料である層（以下「白層」と呼ぶ。）を少なくとも含むものが用いられる。
白層は酸化チタンなどの白顔料を上記の割合で含む着色剤をバインダ樹脂でバインドした層であって、かかる層は厚みを大きくするほど隠蔽性が向上することから、紙面上の筆記や印字を十分に隠蔽するために、従来はその厚みを大きめに設定するのが一般的である。具体的には白層の厚みを例えば１５μｍ以上、特に２０μｍ以上とするのが一般的である。
【手続補正３】
【補正対象書類名】明細書
【補正対象項目名】００１２
【補正方法】変更
【補正の内容】
【００１２】
本発明は、離型処理された基材の片面に２層以上の積層構造を有する修正層、および粘着層をこの順に積層してなり、前記修正層は、着色剤を含み前記着色剤の総量の９９質量％以上が白顔料である、厚み１０μｍ以下の白層を少なくとも２層含んでいる感圧修正テープである。
【手続補正４】
【補正対象書類名】明細書
【補正対象項目名】００１５
【補正方法】変更
【補正の内容】
【００１５】
本発明は、離型処理された基材の片面に２層以上の積層構造を有する修正層、および粘着層をこの順に積層してなり、前記修正層は、着色剤を含み前記着色剤の総量の９９質量％以上が白顔料である、厚み１０μｍ以下の白層を少なくとも２層含んでいる感圧修正テープである。
≪修正層≫
修正層は、厚み１０μｍ以下の２層以上の白層のみで構成してもよいし、当該２層以上の白層と、例えば
・  修正層の表面側に配設され、当該修正層上に筆記するインクに対する吸収性を有する筆記層、
・  修正層の表面側に配設され、ペン先に対するすべり性を有するすべり層、
・  修正層の柔軟性、基材に対する追従性、または膜切れ性を調整する調整層、
・  紙面上に筆記または印字されたインクに対する耐ブリード性を有するバリア層、
・  修正対象である筆記や印字の色味に合わせて着色された着色層、および
・  前記筆記や印字の読み取り防止のためのパターンが印刷された印刷層、
からなる群より選ばれた少なくとも１種の層とを適宜組み合わせて構成してもよい。
【手続補正５】
【補正対象書類名】明細書
【補正対象項目名】００１６
【補正方法】変更
【補正の内容】
【００１６】
また上記各層中、筆記層、すべり層、調整層、およびバリア層のうちの少なくとも１種の層は、総量の９９質量％以上が白顔料である着色剤を配合して、前記少なくとも２層の白層のうちの少なくとも１層を兼ねさせることもできる。
修正層を通常の白層のみで形成する場合は感圧修正テープの構成を簡略化して生産性を向上できるという利点がある。
【手続補正６】
【補正対象書類名】明細書
【補正対象項目名】００１８
【補正方法】変更
【補正の内容】
【００１８】
《白層》
白層は厚みを１０μｍ以下とすること、２層以上を積層すること以外は従来同様に形成できる。すなわち個々の白層は、総量の９９質量％以上が白顔料である着色剤とバインダ樹脂とを少なくとも含む塗布液を下地上に塗布したのち乾燥させることで形成される。
この際、それぞれの白層は厚みが１０μｍ以下と薄いため乾燥に要する時間をこれまでよりも短縮できる。特に先述した連続塗工装置を用いる場合は装置の全体での基材の送り速度をこれまでよりも高めることにより、例えば３層以上の多層の白層を含む修正層であっても生産性を低下させることなしに、高い生産性でもって感圧修正テープを製造できる。
【手続補正７】
【補正対象書類名】明細書
【補正対象項目名】００４３
【補正方法】変更
【補正の内容】
【００４３】
当該筆記層は着色剤を配合せずに透明の層としてもよいが、前述したように総量の９９質量％以上が白顔料である着色剤を配合するとともにその厚みを１０μｍ以下として白層を兼ねさせることもできる。
〈筆記層用の多孔質体〉
筆記層に含有させる多孔質体としてはシリカが好ましい。
【手続補正８】
【補正対象書類名】明細書
【補正対象項目名】００４９
【補正方法】変更
【補正の内容】
【００４９】
白層と同様のバインダ樹脂を同様の組成で用いることにより、すべり層の柔軟性や基材に対する追従性と、膜切れ性とを良好にバランスさせることもできる。
当該すべり層は着色剤を配合せずに透明の層としてもよいが、前述したように総量の９９質量％以上が白顔料である着色剤を配合するとともにその厚みを１０μｍ以下として白層を兼ねさせることもできる。
【手続補正９】
【補正対象書類名】明細書
【補正対象項目名】００５７
【補正方法】変更
【補正の内容】
【００５７】
ポリエステル樹脂と脂環式炭化水素樹脂とを併用する場合は、当該脂環式炭化水素樹脂の割合を多くするほど調整層の、そして修正層の膜切れ性を高めることができる。
上記調整層は着色剤を配合せずに透明の層としたり、後述する着色層としたりしてもよいし、前述したように総量の９９質量％以上が白顔料である着色剤を配合するとともにその厚みを１０μｍ以下として白層を兼ねさせてもよい。
【手続補正１０】
【補正対象書類名】明細書
【補正対象項目名】００６４
【補正方法】変更
【補正の内容】
【００６４】
上記バリア層は着色剤を配合せずに透明の層としたり、後述する着色層としたりしてもよいし、前述したように総量の９９質量％以上が白顔料である着色剤を配合するとともにその厚みを１０μｍ以下として白層を兼ねさせてもよい。
バリア層を白層とする場合、その柔軟性や基材に対する追従性と膜切れ性とを良好にバランスさせるとともに、良好な隠蔽性を確保するために、白顔料やバインダ樹脂の配合割合は通常の白層と同じとし、例えば体質顔料の配合割合を減らしてその分のシリカを配合すればよい。
【手続補正１１】
【補正対象書類名】明細書
【補正対象項目名】００６８
【補正方法】変更
【補正の内容】
【００６８】
カーボンブラックとしては、黒色を呈する種々のカーボンブラックが使用可能である。
カーボンブラック等の黒顔料などの、白顔料以外の着色剤を白層の場合より多めに配合する、すなわち白顔料の割合が着色剤の総量の９９質量％未満となるように他の着色剤を配合することにより、着色層を隠蔽対象としての筆記や印字の色味に合わせた任意の色味に着色できる。
【手続補正１２】
【補正対象書類名】明細書
【補正対象項目名】００８０
【補正方法】変更
【補正の内容】
【００８０】
粘着層の厚みは０．５μｍ以上、特に１μｍ以上であるのが好ましく、５μｍ以下、特に４μｍ以下であるのが好ましい。
また粘着層に総量の９９質量％以上が白顔料である着色剤や白染料などを配合して白層の機能を兼ねさせたり、隠蔽対象としての筆記や印字の色味に合わせた顔料や染料を配合して着色層の機能を兼ねさせたりすることもできる。